(57)【要約】      （修正有）【課題】少しの練習で、帯の前結びが簡単にできる帯具を提供する。【解決手段】ゴム紐巾２〜３ｃｍ、ゴム紐の長さを最短７０ｃｍ〜最長１５０ｃｍまで調整可能にした長さ調整具を備え、その両端にワンタッチ式留め具を取り付けたことを特徴とする。布製仮紐では、身体の背後で紐を結束作業しなければならなかったが、ワンタッチ結束具を使用することにより、簡単に出来るようになった。また、結束具の使用により紐解けも無くなり、仮紐を解く際にも、どの紐を解くのか結束部分を触ることにより、安易に分かるようになったことにより、解く作業もワンタッチで出来るようになった。【選択図】図１
0003169073.tif 000002
【実用新案登録請求の範囲】
【請求項１】
布製仮紐をゴム製にし、その両端にワンタッチ式留め具を有し、ゴム紐の中間に長さ調整具を有することを特徴とする。
【請求項２】
ゴム紐の巾２〜３ｃｍ、ゴム紐の長さを最短７０ｃｍ〜最長１５０ｃｍまで調整可能にしたことを特徴とする請求項１に記載のリンカベルト
【考案の詳細な説明】
【技術分野】
【０００１】  この考案は、各種帯結びを行う際の帯具に関する。
【背景技術】
【０００２】  この種の前、前結び帯具としては例えば実開平６ー２０４２６号広報に記載されている物がある。この技術は帯板と仮紐を組み合わせて、１本の帯具で前結びが出来る物である。
【先行技術文献】
【特許文献】
【０００３】
【特許文献１】  実開平６ー２０４２６号
【考案の概要】
【考案が解決しようとする課題】
【０００４】  少しの練習で、帯の前結びが簡単にできる帯具を提供することを目的とする。
現在着物を着ようとするときにおける帯の前結び時、帯を帯板に装着する際、仮紐を使用するが、仮紐を身体の背後で結束する際、背中に手を回し仮紐を背後で結ぶか、もしくは仮紐の両端をマジックテープで結着するかのいずれかである。
紐制の仮紐を使用して身体の背後で紐の両端を結ぶには、老人では身体の背後に手を回して、作業することが出来ずらいことから、またマジックテープで仮紐の両端を結着する方法は、マジックテープが綺麗に装着できたときはいいが、少しづれると、そのテープの結着部分が帯に接触した際に、結着部分が帯の繊維にあたり繊維が出てくるという欠点があった。
また、この仮紐を解く際に、身体の背後には、帯枕の結び目、もう１本の仮紐の結び目と３本の紐の結び目がある状態のため、どの紐をほどいていいの分かり辛いという欠点はあった。
【課題を解決するための手段】
【０００５】  この考案は前記した各問題点を解決するために、仮紐の素材を現行の布製から紐巾２〜３ｃｍのゴム製にした。
このゴム製仮紐の両端に、ワンタッチ式結束具を取り付けた。
サイズの汎用性を持たせるため、この紐に２個の長さ調整具を取り付けた。
【考案の効果】
【０００６】  布製仮紐では、身体の背後で紐を結束作業しなければならなかったが、ワンタッチ結束具を使用することにより、簡単に出来るようになった。
また、結束具の使用により紐解けも無くなり、仮紐を解く際にも、どの紐を解くのか結束部分を触ることにより、安易に分かるようになったことにより、解く作業もワンタッチで出来るようになった。
また、マジックテープ使用の仮紐での結束時、テープの結着部分が帯に接触した事により、帯の糸が出てくるという欠点も解決した。
さらに長さ調整具を２カ所取り付けることにより、サイズ調整を簡単にし、Ｓサイズの人からＬＬサイズの人まで汎用できるようにした。
【図面の簡単な説明】
【０００７】
【図１】図１はこのベルトの平面図
【図２】図２は結束具の見取り図
【図３】図３は結束具の立面図
【図４】実施例についての参照図
【図５】実施例についての参照図
【図６】実施例についての参照図
【図７】実施例についての参照図
【図８】実施例についての参照図
【図９】実施例についての参照図
【図１０】実施例についての参照図
【図１１】実施例についての参照図
【図１２】実施例についての参照図
【図１３】実施例についての参照図
【図１４】実施例についての参照図
【図１５】実施例についての参照図
【図１６】実施例についての参照図
【図１７】実施例についての参照図
【図１８】実施例についての参照図
【実施例】
【０００８】    実施例について図面を参照して説明する。
このベルトを使用して、前結びをする手順を図で示すと、
図４において帯板を巻いた状態で、手先を右肩に掛け、身体正面で帯の上一カ所をクリップで留め、帯を身体に一周巻き、帯を締め、もう一周帯を身体に巻き、２周目が身体の左脇に来たところで、先に止めていたクリップを外し、左下で帯を挟み帯を止める。
次に図５において先の手先を左手に持って帯を抜く。
次に図６において手先を帯に沿って右にはわし、図４で留めていたクリップを外して、身体正面で帯の上側を止める。
次に図７において帯のたれ側を三角に折る。
次に図８においてリンカベルトを身体の背後で止める。
次に図９において身体正面で止めていたクリップを外し、三角に織り上げたたれ部分の下側を止める。
次に図１０において帯のお太鼓を作るために、帯枕を身体正面に持ってきて身体の背後で結ぶ。
次に図１２において余った、たれ元を折りたたみ、リンカベルトでこれを止める。
次に図１３においてリンカ式仮紐を帯の下線に合わせる。。
次に図１４において身体の正面でたれをこの仮紐に絡めてお太鼓の形を作る。
次に図１５においてリンカ式ゴム仮紐を背後で結ぶ。
次に図１６においてクリップにより身体右側で止めていた手先を引き抜き取る。
次に図１７において手先をお太鼓の中に入れる。
次に図１８においてリンカベルトを外す。
【産業上の利用可能性】
【０００９】  総ての帯結びに利用可能である。
【符号の説明】
【００１０】  １、ワンタッチ式留め具、
２、長さ調整具
３、クリップ
４  手先
５  たれ
６  帯枕
７、リンカベルト
８、リンカ式仮紐
【図１】
0003169073.tif 000003
【図３】
0003169073.tif 000004
【図４】
0003169073.tif 000005
【図５】
0003169073.tif 000006
【図６】
0003169073.tif 000007
【図７】
0003169073.tif 000008
【図８】
0003169073.tif 000009
【図９】
0003169073.tif 000010
【図１０】
0003169073.tif 000011
【図１１】
0003169073.tif 000012
【図１２】
0003169073.tif 000013
【図１３】
0003169073.tif 000014
【図１４】
0003169073.tif 000015
【図１５】
0003169073.tif 000016
【図１６】
0003169073.tif 000017
【図１７】
0003169073.tif 000018
【図１８】
0003169073.tif 000019
【手続補正書】
【提出日】平成23年4月20日(2011.4.20)
【手続補正１】
【補正対象書類名】実用新案登録請求の範囲
【補正対象項目名】全文
【補正方法】変更
【補正の内容】
【実用新案登録請求の範囲】
【請求項１】
ゴム製の仮紐を有し、前期仮紐の両端にワンタッチ式留め具を有し、前期仮紐の中間に長さ調整具を有していることを特徴とするリンカベルト。
【請求項２】
ゴム紐の巾２〜３ｃｍであり、仮紐の長さが最短７０ｃｍ〜最長１５０ｃｍまで調整可能であることを特徴とする請求項１に記載のリンカベルト
【手続補正２】
【補正対象書類名】明細書
【補正対象項目名】０００４
【補正方法】変更
【補正の内容】
【０００４】  少しの練習で、帯の前結びが簡単にできる帯具を提供することを目的とする。
現在着物を着ようとするときにおける帯の前結び時、帯を帯板に装着する際、仮紐を使用するが、仮紐を身体の背後で結束する際、背中に手を回し仮紐を背後で結ぶか、もしくは仮紐の両端をマジックテープで結着するかのいずれかである。
紐制の仮紐を使用して身体の背後で紐の両端を結ぶには、老人では身体の背後に手を回して、作業することが出来ずらいことから、またマジックテープ（登録商標）で仮紐の両端を結着する方法は、マジックテープ（登録商標）が綺麗に装着できたときはいいが、少しづれると、そのテープの結着部分が帯に接触した際に、結着部分が帯の繊維にあたり繊維が出てくるという欠点があった。
また、この仮紐を解く際に、身体の背後には、帯枕の結び目、もう１本の仮紐の結び目と３本の紐の結び目がある状態のため、どの紐をほどいていいの分かり辛いという欠点はあった。
【手続補正３】
【補正対象書類名】明細書
【補正対象項目名】０００６
【補正方法】変更
【補正の内容】
【０００６】  布製仮紐では、身体の背後で紐を結束作業しなければならなかったが、ワンタッチ結束具を使用することにより、簡単に出来るようになった。
また、結束具の使用により紐解けも無くなり、仮紐を解く際にも、どの紐を解くのか結束部分を触ることにより、安易に分かるようになったことにより、解く作業もワンタッチで出来るようになった。
また、マジックテープ（登録商標）使用の仮紐での結束時、テープの結着部分が帯に接触した事により、帯の糸が出てくるという欠点も解決した。
さらに長さ調整具を２カ所取り付けることにより、サイズ調整を簡単にし、Ｓサイズの人からＬＬサイズの人まで汎用できるようにした。
【手続補正４】
【補正対象書類名】図面
【補正対象項目名】図１
【補正方法】変更
【補正の内容】
【図１】
0003169073.tif 000020
【手続補正５】
【補正対象書類名】図面
【補正対象項目名】図２
【補正方法】変更
【補正の内容】
【図２】
0003169073.tif 000021